(57)【要約】      （修正有）【課題】外圧による破損防止及び盗難防止を図るシャッターを提供する。【解決手段】シャッター室内部に支柱２を立て、ヒンジ３によりガードバー本体４がヒンジ３を支点に回転下降し、次いでガードバー本体６がヒンジ５を支点に回転下降し反対側の受け支柱１の支柱金具９にはまる構成にして、シャッターを外圧よりガードし盗難・天災からシャッター内部を守り、折り畳み式とする。【選択図】図２
0003229247.tif 000002
【実用新案登録請求の範囲】
【請求項１】
開閉式シャッターは、外圧により鍵が外れ盗難などにあう
シャッターガード
シャッター室内部に、支柱を立て、ヒンジにより  ガードバーが回転下降し
反対側の支柱金具にはまり、シャッターを外圧よりガードし盗難・天災などからシャッター内を守る、シャッターガード
【考案の詳細な説明】
【技術分野】
【０００１】  本考案は、シャッターを外圧より守るためガードを設置
シャッターの防衛に関するものである
【背景技術】
【０００２】  家・倉庫・車庫などに取り付けられ、シャッターにより防犯・災害などから家・倉庫・車庫などを守っている
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  シャッターは強い外圧がかかると鍵部が外れ、シャッター本体もガイドレールから外れ、壊れてしまい盗難などの被害にあう。
【課題を解決するための手段】
【０００６】シャッター自体外圧に弱いため、外圧を止めるための器具を設置することでシャッターの破損を食い止める
【考案の効果】
【０００７】上述の様に、外圧を止めることにより防犯・災害よりシャッター内部を守るのに役立つ
【図面の簡単な説明】
【０００８】
【図１】シャッターガード開時の正面図
【図２】シャッターガード閉時の正面図
【考案を実施するための形態】
【０００９】両側に支柱を立て、片側支柱に取り付けてある可倒式の防犯バーを回転するように下げる。
下げた防犯バーをもう片方の支柱にはめ込み、シャッターのガードとする。
【実施例】
【００１０】以下、添付図面に従って実施例を説明する。２は本体支柱であり丁番１でバー本体の支え及び回転時の視点となり、バー本体を回転下げると同時にバー本体２を丁番２を支点とし  上へと回転させ１の受け支柱に預ける
１はシャッターガードが下がってきたときのエンド支持を行う
【産業上の利用可能性】
【００１１】
【符号の説明】
【００１２】１  受け支柱
２  本体支柱
３  丁番１
４  バー本体１
５  丁番２
６  バー本体２
７  止め台座
８  シャッター
【図１】
0003229247.tif 000003
【図２】
0003229247.tif 000004
【手続補正書】
【提出日】令和2年5月8日(2020.5.8)
【手続補正１】
【補正対象書類名】実用新案登録請求の範囲
【補正対象項目名】全文
【補正方法】変更
【補正の内容】
【実用新案登録請求の範囲】
【請求項１】
シャッター室内部に支柱を立て、ヒンジによりガードバー本体１が
ヒンジ１を支点に回転下降し、次いでガードバー本体２がヒンジ２を支点に回転下降し反対側の受け支柱の支柱金具にはまる。
シャッターを外圧より、ガードし盗難・天災からシャッター内部を守る。
折り畳みを特徴とするシャッターガード。
【手続補正２】
【補正対象書類名】明細書
【補正対象項目名】全文
【補正方法】変更
【補正の内容】
【考案の詳細な説明】
【技術分野】
【０００１】本考案は、シャッターを外圧より守るためシャッターガードを設置し、シャッターの防衛に関するものである
【背景技術】
【０００２】家・倉庫・車庫などに取り付けられ、シャッターが防犯・災害から家・倉庫・車庫などを守っている
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】シャッターは強い外圧がかかると鍵部が外れ、シャッター本体もガイドレールから外れ、壊れてしまい盗難などの被害にあう。
簡易に開閉できる構造であること
【課題を解決するための手段】
【０００６】シャッター自体外圧に弱いため、外圧を止めるための器具を設置することで、シャッターの破損を食い止め、また折り畳み式にすることで操作性を簡易にする。
【考案の効果】
【０００７】上述の様に、外圧を止めることにより防犯・災害よりシャッター内部を簡易操作にて守るのに役立つ
【図面の簡単な説明】
【０００８】
【図１】シャッターガード開時の正面図
【図２】シャッターガード閉時の正面図
【考案を実施するための形態】
【０００９】本体支柱を立て、もう片側に受け支柱建てる。
本体支柱に組まれた、ガードバー本体１がヒンジ１を支点に回転下降させる。
ガードバー本体２がヒンジ２を支点に回転上昇し、受け支柱バー受け止め金具にはまりシャッターのガードとする。
【実施例】
【００１０】以下、添付図面に従って一実用例を説明する。
１受け支柱は、下部にアンカーの取り付けプレートを有し
上部部分に９バー受け止め金具を有する  金属素材の溶接構造物である
２本体支柱は、下部にアンカー取り付けプレートを有し
上部に３ヒンジ１を有する、金属等素材で溶接構造ある。
３ガードバー本体１は３ヒンジ１を有し、上部に５ヒンジ２を有する金属素材で溶接構造である。
６ガードバー本体２は、上部に５ヒンジ２を有する金属素材の溶接構造である。【００１１】２本体支柱を立て、もう片側に１受け支柱を建てる。
２本体支柱に３ヒンジ１をかいし組まれた４ガードバー本体１を３ヒンジ１を支点に回転下降させる。
４ガードバー本体１に３ヒンジ１介して接続されている
６ガードバー本体２を  ヒンジ２を支点に回転上昇し
１受け支柱に取り付けてある９バー受け止め金具にはめシャッターのガードとする。
【符号の説明】
【００１２】１受け支柱
２本体支柱
３ヒンジ１
４ガードバー本体１
５ヒンジ２
６ガードバー本体２
７止め台座
８開閉式シャッター
９バー受け止め金具
【手続補正３】
【補正対象書類名】図面
【補正対象項目名】全図
【補正方法】変更
【補正の内容】
【図１】
0003229247.tif 000005
【図２】
0003229247.tif 000006
【手続補正書】
【提出日】令和2年8月5日(2020.8.5)
【手続補正１】
【補正対象書類名】実用新案登録請求の範囲
【補正対象項目名】全文
【補正方法】変更
【補正の内容】
【実用新案登録請求の範囲】
【請求項１】
（１）シャッター室内部に支柱を立て、ヒンジによりガードバー本体１がヒンジ１を支点に回転下降し、次いでガードバー本体２がヒンジ２を支点に回転下降し反対側の受け支柱の支柱金具にはまる、
以上の（１）の構成にて、シャッターを外圧よりガードし盗難・天災からシャッター内部を守る、折り畳みを特徴とするシャッターガード。
【手続補正２】
【補正対象書類名】明細書
【補正対象項目名】全文
【補正方法】変更
【補正の内容】
【考案の詳細な説明】
【技術分野】
【０００１】本考案は、シャッターを外圧より守るためシャッターガードを設置し、シャッターの防衛に関するものである
【背景技術】
【０００２】家・倉庫・車庫などに取り付けられ、シャッターが防犯・災害から家・倉庫・車庫などを守っている
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】シャッターは強い外圧がかかると鍵部が外れ、シャッター本体もガイドレールから外れ、壊れてしまい盗難などの被害にあう。
簡易に開閉できる構造であること
【課題を解決するための手段】
【０００６】シャッター自体外圧に弱いため、外圧を止めるための器具を設置することで、シャッターの破損を食い止め、また折り畳み式にすることで操作性を簡易にする。
【考案の効果】
【０００７】上述の様に、外圧を止めることにより防犯・災害よりシャッター内部を簡易操作にて守るのに役立つ
【図面の簡単な説明】
【０００８】
【図１】シャッターガード開時の正面図
【図２】シャッターガード閉時の正面図
【考案を実施するための形態】
【０００９】本体支柱を立て、もう片側に受け支柱建てる。
本体支柱に組まれた、ガードバー本体１がヒンジ１を支点に回転下降させる。
ガードバー本体２がヒンジ２を支点に回転上昇し、受け支柱バー受け止め金具にはまりシャッターのガードとする。
【実施例】
【００１０】以下、添付図面に従って一実用例を説明する。
１受け支柱は、下部にアンカーの取り付けプレートを有し上部部分に９バー受け止め金具を有する  金属素材の溶接構造物である
２本体支柱は、下部にアンカー取り付けプレートを有し上部に３ヒンジ１を有する、金属等素材で溶接構造ある。
３ガードバー本体１は３ヒンジ１を有し、上部に５ヒンジ２を有する金属素材で溶接構造である。
６ガードバー本体２は、上部に５ヒンジ２を有する金属素材の溶接構造である。【００１１】２本体支柱を立て、もう片側に１受け支柱を建てる。
２本体支柱に３ヒンジ１をかいし組まれた４ガードバー本体１を３ヒンジ１を支点に回転下降させる。
４ガードバー本体１に３ヒンジ１介して接続されている６ガードバー本体２を  ヒンジ２を支点に回転上昇し１受け支柱に取り付けてある９バー受け止め金具にはめシャッターのガードとする。
【符号の説明】
【００１２】１受け支柱
２本体支柱
３ヒンジ１
４ガードバー本体１
５ヒンジ２
６ガードバー本体２
７止め台座
８開閉式シャッター
９バー受け止め金具
【手続補正３】
【補正対象書類名】図面
【補正対象項目名】全図
【補正方法】変更
【補正の内容】
【図１】
0003229247.tif 000007
【図２】
0003229247.tif 000008